(57)【要約】【課題】  使用場所の制限が少なく、かつ、両手での作業も容易に行え、更に、視力弱者も小さな文字の読み書きを容易に行うことができる器具を提供するスタンドシステムを提供する。【解決手段】  カメラ機能を有する端末装置を載置可能な台板１０１と、この台板１０１を回転可能に支持する台受板１４１と、ヒンジにより台受板１４１を支持する傾斜板１７１と、傾斜板１７１に設けられる前足１８１及び後足１８３，１８５と、台受板１４１の角度を所定の角度に調整する角度調整手段１５１，１５３，１６１と、を有し、台板１０１は周縁部に枠部１０５を有すると共に左側後部の隅部にカメラ穴１１０を有し、傾斜板１７１は右切欠き部１４３と左切欠き部１４４とを有して中央を後方に突出させており、後足１８３，１８５は前足１８１よりも長く傾斜板１７１を後部が高くなるように傾斜させる。【選択図】    図１
2019024199.tif 000002
【特許請求の範囲】
【請求項１】
カメラ機能を有する端末装置を載置可能な台板と、
前記台板の裏面側に配置され、前記台板を支持する台受板と、
前記台受板の下方に配置され、ヒンジにより前記台受板の後部を支持する傾斜板と、
前記傾斜板の前部に設けられる２本の前足、及び、前記傾斜板の後部に設けられる１本又は２本の後足と、
前記ヒンジにより接続された前記台受板と前記傾斜板との前記ヒンジを中心とする回転角度を所定の角度に調整し前記台受板を所定の傾斜角度に調整する角度調整手段と、を有し、
前記台板は、後部にカメラ穴を有するとともに、前記傾斜板は、前記カメラ穴と対応する位置に切り欠き部を有し、
前記１本又は２本の後足は、長さを前記前足の長さよりも長く設定されることにより、前記傾斜板を後部が高くなるように傾斜させることを特徴とするスタンドシステム。
【請求項２】
前記台受板は、前記台板を前記台受板の表面側に沿って回転可能に支持することを特徴とする請求項１に記載のスタンドシステム。
【請求項３】
前記台受板は、前記台板の回転を阻止する係止突起を有することを特徴とする請求項１または請求項２に記載のスタンドシステム。
【請求項４】
前記後足は、２本とされ、１本を前記傾斜板の左右の中央よりも一方に寄った位置とし、他の１本は、前記傾斜板の左右の中央よりも他方に寄った位置であって前記傾斜板の側端部の近傍の位置とすることを特徴とする請求項１乃至請求項３のいずれか一項に記載のスタンドシステム。
【請求項５】
前記前足及び前記後足は、下端部にボールキャスターを有することを特徴とする請求項１乃至請求項４のいずれか一項に記載のスタンドシステム。
【請求項６】
前記台板及び前記台受板は、前記台板を前記台受板に対して９０度の異なる２か所の位置で係止する係止手段と係止受手段とを有することを特徴とする請求項１乃至請求項５のいずれか一項に記載のスタンドシステム。
【請求項７】
前記台板は、左右方向に移動可能な横ストッパーと、上下方向に移動可能な縦ストッパーとを有して前記台板に載置したカメラ機能を有する端末装置の位置を固定することを特徴とする請求項１乃至請求項６のいずれか一項に記載のスタンドシステム。
【請求項８】
前記横ストッパーは、前記台板から上方に突出する横係止つまみを有し、前記縦ストッパーは前記台板から上方に突出する縦係止つまみを有することを特徴とする請求項７に記載のスタンドシステム。
【請求項９】
前記台板は、指穴を有することを特徴とする請求項１乃至請求項８のいずれか一項に記載のスタンドシステム。
【発明の詳細な説明】
【技術分野】
【０００１】
本発明は、スタンドシステムに関し、特に端末装置のカメラ機能を利用し、該端末装置のカメラによる撮像対象を表示画面に拡大表示しつつ、撮像対象とした紙片等に対する読み書きを行う際に使用する端末装置のスタンドシステムに関する。
【背景技術】
【０００２】
今日、視力が低下した高齢者やその他の視力弱者が小さな文字を読みやすくするための種々の拡大装置が提供されている。
【０００３】
例えば、特許文献１に示すように、テーブル等に一端を固定可能としたフリーアームを有する板状の受け部材の上面に液晶ディスプレイを取り付け、該受け部材の下面にＣＣＤカメラを固定し、ＣＣＤカメラで撮像したテーブル上の表面を液晶ディスプレイに拡大表示しつつ、フリーアームを備えた受け部材をテーブルに対して移動させることにより、撮像範囲を変化させることのできる拡大装置が提案されている。
【０００４】
また、特許文献２乃至特許文献４に示すように、携帯電話機のカメラ機能を利用し、携帯電話機のカメラで撮像した対象を表示画面に拡大表示させる種々の提案もなされている。
【先行技術文献】
【特許文献】
【０００５】
【特許文献１】特開２００４−０５６２１５号公報
【特許文献２】特開２００８−００５３９５号公報
【特許文献３】特開２００２−３７４４５０号公報
【特許文献４】特開２００４−１５３４０７号公報
【発明の概要】
【発明が解決しようとする課題】
【０００６】
しかしながら、上述したフリーアームを有する受け部材に液晶ディスプレイとＣＣＤカメラを備えた拡大装置は、固定された場所で使用するには便利であるものの、装置が大掛かりで、据え付けに手数が必要となり、使用場所を自由に選定することが困難となる場合がある。
【０００７】
また、携帯電話機のカメラ機能を利用して拡大表示する場合は、使用場所の制限を受けることはない少ないものの、携帯電話機を保持するために片手が塞がれてしまい、読み書きを行うために使用することができるのが片手となってしまう。このため、携帯電話機で拡大表示しながら新聞等の大きな紙片を折り畳んだり、又は紙を固定しながら文字を書き込むときには不便を感じることが多かった。
【０００８】
本発明は、このような事情に鑑みてなされたものであり、使用場所の制限が少なく、かつ、両手での作業も容易に行え、更に、視力弱者も小さな文字の読み書きを容易に行うことができるスタンドシステムを提供することを目的とする。
【課題を解決するための手段】
【０００９】
本発明に係るスタンドシステムは、カメラ機能を有する端末装置を載置可能な台板と、前記台板の裏面側に配置され、前記台板を支持する台受板と、前記台受板の下方に配置され、ヒンジにより前記台受板の後部を支持する傾斜板と、前記傾斜板の前部に設けられる２本の前足、及び、前記傾斜板の後部に設けられる１本又は２本の後足と、前記ヒンジにより接続された前記台受板と前記傾斜板との前記ヒンジを中心とする回転角度を所定の角度に調整し前記台受板を所定の傾斜角度に調整する角度調整手段と、を有し、前記台板は、後部にカメラ穴を有するとともに、前記傾斜板は、前記カメラ穴と対応する位置に切り欠き部を有し、前記１本又は２本の後足は、長さを前記前足の長さよりも長く設定されることにより、前記傾斜板を後部が高くなるように傾斜させることを特徴とする。
【００１０】
また、前記台受板は、前記台板を前記台受板の表面側に沿って回転可能に支持する。更に、前記台受板は、前記台板の回転を阻止する係止突起を有する。
【００１１】
そして、前記後足は、２本とされ、１本を前記傾斜板の左右の中央よりも一方に寄った位置とし、他の１本は、前記傾斜板の左右の中央よりも他方に寄った位置であって前記傾斜板の側端部の近傍の位置とする。
【００１２】
更に、前記前足及び前記後足は、下端部にボールキャスターを有する。また、前記台板及び前記台受板は、前記台板を前記台受板に対して９０度の異なる２か所の位置で係止する係止手段と係止受手段とを有する。
【００１３】
そして、前記台板は、左右方向に移動可能な横ストッパーと、上下方向に移動可能な縦ストッパーとを有して前記台板に載置したカメラ機能を有する端末装置の位置を固定する。
【００１４】
更に、前記横ストッパーは、前記台板から上方に突出する横係止つまみを有し、前記縦ストッパーは前記台板から上方に突出する縦係止つまみを有する。また、前記台板は、指穴を有する。
【発明の効果】
【００１５】
このように、本発明に係るスタンドシステムは、カメラ機能を有する端末装置を載置可能な台板と、この台板を支持する台受板と、ヒンジにより台受板を支持する傾斜板と、傾斜板に設けられる前足及び後足と、台受板の角度を所定の角度に調整し台受板を所定の傾斜角度に調整する角度調整手段と、を有し、台板はカメラ穴を有するとともに、傾斜板は、カメラ穴の対応する位置に切り欠き部を有し、後足は、長さを前足の長さよりも長く設定されることにより、傾斜板を後部が高くなるように傾斜させる。
【００１６】
したがって、単に台板に前記端末装置を載置固定しながら、カメラ穴から前記端末装置のカメラ機能を利用することによりスタンドシステムの下に広げる紙片を撮像し、前記端末装置の表示画面に拡大表示することができる。これにより、据え付けが容易で、使用場所の制限が少なく、かつ、両手での作業も容易に行うことができ、視力弱者も小さな文字の読み書きを容易に行うことができる。
【００１７】
そして、後足を前足よりも長くして傾斜板の後部を高くし、前記端末装置のカメラレンズをスタンドシステムの下に広げる紙片からの距離を確保するように位置させ、前記端末装置のカメラ機能を良好に発揮させることができ、傾斜板にはカメラ穴と対応する位置に切欠き部を有しているため、カメラの視野を良好に確保しつつ、カメラの視野内に右手又は左手を挿入してカメラの視野内で文字や図形等を紙片に書き込む作業も容易に行うことができる。
【００１８】
更に、傾斜板に対する台受板の角度、ひいては台板や台板に載置した前記端末装置の角度を調整する角度調整手段を設けているため、前記端末装置即ち表示画面を見易い角度に調整することができる。
【００１９】
また、台受板は、台板を台受板の表面側に沿って回転可能に支持するスタンドシステムとする場合は、水平方向のカメラの視野も容易に調整することができる。
【００２０】
そして、台受板は、台板の回転を阻止する係止突起を有するスタンドシステムとする場合は、水平方向のカメラの視野を容易に固定することができる。
【００２１】
また、後足は、２本とされ、１本を傾斜板の左右の中央よりも一方に寄った位置とし、他の１本は、傾斜板の左右の中央よりも他方に寄った位置であって傾斜板の側端部の近傍の位置とするスタンドシステムとする場合は、後足を２本とすることとしても、カメラ視野を容易に確保しつつ、台板や前記端末装置をより安定させ、前記端末装置の表示画面の上部の右隅や左隅をタッチ操作する場合にもぐらつかず安定して操作を行うことができる。
【００２２】
更に、前足及び後足の下端部にボールキャスターを有するスタンドシステムとする場合は、各足を前後左右に自由に移動させることが容易であり、スタンドシステムを前後左右に平行移動や旋回移動をさせて台板に載置したカメラ機能を有する端末装置のカメラ視野を自在に移動させることができる。
【００２３】
また、台板及び台受板に係止手段と係止受手段とを有して台板を９０度の異なる２ケ所の位置で係止するスタンドシステムとする場合は、前記端末装置を横長又は縦長の位置で固定することができ、前記端末装置の使用頻度の高い位置での固定を容易とすることができる。
【００２４】
更に、台板は、左右方向に移動可能な横ストッパーと、上下方向に移動可能な縦ストッパーとを有して台板に載置した前記端末装置の位置を固定するスタンドシステムとする場合は、台板よりも小型の前記端末装置を台板上に載置して所定位置に固定することが容易にできる。
【００２５】
また、横ストッパーは、台板から上方に突出する横係止つまみを有し、縦ストッパーは台板から上方に突出する縦係止つまみを有するタブレットスタンドとする場合は、台板を台受板に対して回転させるに際し、係止つまみを摘んで回転させることも容易に可能となり、視力弱者等が台板周辺の突出部分を指先で感じながら台板を操作することができる。
【００２６】
そして、台板は、指穴を有するスタンドシステムとする場合は、指穴の下から指を挿入することにより、台板に載置した前記端末装置を台板から指先で浮き上がらせることができ、前記端末装置の取り外しを容易に行うことができる。
【図面の簡単な説明】
【００２７】
【図１】本発明の実施形態であるスタンドシステムの全体斜視図。
【図２】本発明の実施形態であるスタンドシステムの上面図。
【図３】本発明の実施形態であるスタンドシステムの左側面図。
【図４】本発明の実施形態であるスタンドシステムの背面図。
【図５】本発明の実施形態であるスタンドシステムの裏面斜視図。
【図６】本発明の実施形態であるスタンドシステムの台板を水平にした左側面図。
【図７】本発明の実施形態であるスタンドシステムの台板を台受板に重ねた状態の左側面図。
【図８】本発明の実施形態であるスタンドシステムのスライダー受け部を示す拡大図。
【図９】本発明の実施形態であるスタンドシステムの係止つまみを移動させて小型のカメラ機能を有する端末装置を固定する状態を示す上面図。
【図１０】本発明の実施形態であるスタンドシステムのカメラ機能を有する端末装置を縦長として使用する状態を示す上面図。
【図１１】本発明の実施形態であるスタンドシステムにおける台板の裏面を示す図。
【図１２】本発明の実施形態であるスタンドシステムにおける台受板の上面を示す図。
【図１３】本発明の実施形態であるスタンドシステムの足を折り倒した状態を示す裏面図。
【発明を実施するための形態】
【００２８】
本実施形態に係るスタンドシステムは、図１に示すように、カメラ機能を有する端末装置を載置する台板１０１の周囲に枠部１０５を有し、枠部１０５の内側の台板１０１に載置固定する前記端末装置のカメラを利用して、カメラ穴１１０から当該スタンドシステム１００の下に広げた新聞の文字等を撮像し、該端末装置の表示画面に拡大表示させることにより、据え付けが容易で、使用場所の制限が少なく、かつ、両手での作業も容易に行え、更に、視力弱者も小さな文字の読み書きを容易に行うことができるようにする前記端末装置の利用に適したスタンドシステム１００となっている。
【００２９】
なお、本実施形態においてカメラ機能を有する端末装置とは、タブレット型端末、スマートフォン、携帯電話機、またはこれらに類する端末装置であってカメラ機能を有し、主に板状に形成された端末装置を言う。
【００３０】
また、板状に形成された端末装置は、表側に表示画面を有し、裏側にカメラ機能を発揮するためのレンズが設けられている。更に、端末装置は、カメラ機能を用いることにより被写体の拡大表示や被写体との距離に応じた焦点合わせ等も容易に行うことができる。以下、カメラ機能を有する端末装置は、単に端末装置とする場合がある。
【００３１】
このスタンドシステム１００は、図１及び図２に示すように、矩形状より詳しくは長方形の台板１０１の周囲に肉厚の枠部１０５を有し、該枠部１０５の内側に１０インチ程度の表示画面を有する端末装置を収納するように載置固定することを可能としている。
【００３２】
また、この枠部１０５は、右側の一部に横切欠き１０６を有し、この横切欠き１０６の部分に横ストッパー１３１を備え、枠部１０５の下側の一部に縦切欠き１０７を有し、この縦切欠き１０７の部分に縦ストッパー１３５を備えている。
【００３３】
この横ストッパー１３１は、円柱形状の横係止つまみ１３２を台板１０１の上面に有し、この横係止つまみ１３２を円柱形状の中心軸を中心に回転させて緩めると、枠部１０５の横切欠き１０６から台板１０１の中央の方向に延びる横調整溝１２５に沿って左右方向に移動可能とされ、横係止つまみ１３２を逆回転させると、台板１０１の裏面に設けられたスライダー１３４に固定されたピンネジ１３３に対して捩じ込むことができ、スライダー１３４と横係止つまみ１３２とによって台板１０１を挟持することにより固定され、枠部１０５の内側に挿入した端末装置の右側端部の位置を固定することができる。
【００３４】
同様に、縦ストッパー１３５は、円柱形状の縦係止つまみ１３６を台板１０１の上面に有し、この縦係止つまみ１３６を円柱形状の中心軸を中心に回転させて緩めると、枠部１０５の縦切欠き１０７から台板１０１の中央の方向に延びる縦調整溝１２７に沿って上下方向に移動可能とされ、縦係止つまみ１３６を逆回転させると、台板１０１の裏面に設けられたスライダー１３８に固定されたピンネジ１３７に対して捩じ込むことができ、スライダー１３８と縦係止つまみ１３６とによって台板１０１を挟持することにより固定され、枠部１０５の内側に挿入した端末装置の下端部の位置を固定することができる。
【００３５】
尚、長方形の台板１０１を横長とし、スタンドシステム１００を正面から見て前後、左右、上下を定義し、長辺が延びる方向を左右方向とし、短辺が延びる方向を前後方向とし、手前の長辺側を手前側と奥の長辺側を奥側、又は、前方乃至前部（手前側）及び後方乃至後部（奥側）として説明するものであり、足１８１，１８３，１８５が立脚した状態で延びる方向を上下方向とする。
【００３６】
そして、この台板１０１は、枠部１０５の内側において左側後部の隅部にカメラ穴１１０を有し、このカメラ穴１１０よりも手前側の近傍位置に指穴１１２を有する。
【００３７】
このカメラ穴１１０は、台板１０１に載置固定する端末装置に設けられたカメラにより当該スタンドシステム１００の下方に広げる紙片の表面を撮像可能とするための穴であり、透明な樹脂板が嵌め込まれることもある。
【００３８】
また、指穴１１２は、台板１０１の裏から指を差し込み、枠部１０５の内側に収納するように載置された端末装置を押し上げて端末装置を台板１０１から取り外すことを容易とする。
【００３９】
更に、この台板１０１は、台板１０１の中央に回転軸１１５を有し、台板１０１の手前側端部には、枠部１０５の上面から上方且つ手前側に突出するレバー１２１を有し、このレバー１２１を指先で摘んで回転軸１１５を中心に台板１０１を時計方向に９０度回転させることを可能としている（図１０参照）。
【００４０】
尚、回転軸１１５の頭部となる上端部は、台板１０１の上面から突出しないように回転軸１１５の頭部を台板１０１に埋設している。また、台板１０１の回転は、レバー１２１を指先で摘んで行うことができると共に、台板１０１の周縁で上方に突出する円柱形状の横係止つまみ１３２や縦係止つまみ１３６を摘んで行うことも容易にできる。
【００４１】
そして、台板１０１の裏面側には、台受板１４１を有し、台受板１４１は台板１０１と同一幅を有し、台受板１４１の左右の端部及び手前側の端部を台板１０１の左右の端部及び手前側の端部と一致させて回転軸１１５により台受板１４１に台板１０１を取り付けている。
【００４２】
更に、この台受板１４１は、左右の幅を台板１０１の左右幅と一致させているものの、図１２に示すように、奥側となる後部ではカメラ穴１１０の位置と対応する位置に切欠き部を有してより詳しくは左奥側に矩形状に切り欠かれた左切欠き部１４４を、右奥側にも矩形状に切り欠かれた右切欠き部１４３を有し、奥側中央に形成される矩形状の後方突出部１４５の後端部から台受板１４１の手前側端部までの長さを台板１０１の前後方向長さよりも僅かに短くしている。
【００４３】
また、台受板１４１の手前側端部の左側には、図１や図２に示したように、上方および手前側に突出する板状の係止突起１４７を有し、台板１０１の手前側端部の左側部分が台受板１４１の手前側端部よりも手前に突出するように回転することを阻止し、また、台板１０１が時計方向に９０度以上回転することも阻止する（図１０参照）。
【００４４】
そして、この台受板１４１の左右両端部にはスライダー受け部１５１を有するものであり、このスライダー受け部１５１は、角度調整つまみ１５３やリンクバー１６１等と合わせて台受板１４１の角度調整手段とされる。角度調整手段は、ヒンジ１７２（回転中心軸）により接続された台受板１４１と傾斜板１７１とのヒンジ１７２を中心とする回転角度を所定の角度に調整し台受板１４１を所定の傾斜角度に調整する。ヒンジ１７２は、左右方向に延びており所定の長さに設定されている。
【００４５】
この角度調整手段におけるスライダー受け部１５１は、台受板１４１の左右両側において、台受板１４１の上方に突出することなく前後方向に所要の長さを有し、台受板１４１の左右方向及び下方に突出する直方体形状とされ、前後方向であるスライダー受け部１５１の軸方向に沿った直線状の角度調整溝１５７を台受板１４１の下面よりも下方に有する。
【００４６】
更に、この角度調整手段は、角度調整溝１５７を貫通する調整ネジピン１５６を有し、この調整ネジピン１５６に螺合する円柱形状の角度調整つまみ１５３をスライダー受け部１５１の外側に有し、角度調整つまみ１５３及び調整ネジピン１５６により棒状のリンクバー１６１の一端部をスライダー受け部１５１に取り付けている。
【００４７】
この角度調整つまみ１５３は、円柱形状の中心軸を中心に回転させることにより角度調整溝１５７を貫通している調整ネジピン１５６に対して捩じ込み、リンクバー１６１をスライダー受け部１５１の所定位置に固定し、また、回転により調整ネジピン１５６に対して外れる方向に移動させてリンクバー１６１の固定を緩め、リンクバー１６１の一端部を角度調整溝１５７に沿って移動可能とする。
【００４８】
そして、このリンクバー１６１の他の端部は、傾斜板１７１に設けたバー固定部１６３に対して回動軸１６５により回動可能に取り付けられている。
【００４９】
この傾斜板１７１は、図３乃至図５に示すように、台受板１４１と同様に、左右幅は台板１０１と同一幅を有するも、奥側となる後部ではカメラ穴１１０の位置と対応する位置に切欠き部を有してより詳しくは奥側となる後部では右切欠き部１７３と左切欠き部１７５とを有して奥側となる後部の中央付近に後方突出部１７７を有し、後方突出部１７７の後部の端部である奥端部がヒンジ１７２により台受板１４１の後方突出部１４５の後部の端部である奥端部に接続されている。
【００５０】
そして、傾斜板１７１の前部より詳しくは手前側の左右両隅部には、各々前足１８１が設けられ、前足１８１の直近後方にバー固定部１６３が形成されてリンクバー１６１の端部を回動可能に支持している。
【００５１】
また、後足としては、傾斜板１７１の切り欠かれた右側の後部の隅部に右後足１８５を、後方突出部１７７の後端部の近傍であって、ヒンジ１７２の近傍に後中央足１８３を有する。
【００５２】
この後中央足１８３は、図４に示したように、傾斜板１７１の左右の中央位置よりも一方に寄った位置より詳しくは左（図４における右）にずれた位置であって後方突出部１７７の位置に設けており、また、右後足１８５は、傾斜板１７１の左右の中央位置よりも他方に寄った位置であって傾斜板１７１の側端部の近傍より詳しくは傾斜板１７１の切り欠かれた右側の後部の隅部の位置とし、この後中央足１８３、右後足１８５、左右の前足１８１の長さは、当該スタンドシステム１００を水平な平面に載置したとき、傾斜板１７１の傾きが３０度乃至４０度程度の傾きで安定するように、前足１８１を短く、後中央足１８３を右後足１８５よりも長くするように各脚柱２０１の長さを定めている。このように、後足１８３，１８５の長さを、前足１８１の長さよりも長く設定することにより、傾斜板１７１を後部が高くなるように傾斜させることができる。
【００５３】
更に、左右の前足１８１、及び後中央足１８３と右後足１８５とした後足の各脚柱２０１の下端部には、ボールキャスター２１１を取り付け、ボールホルダー２１３に収納されたボール２１２の自由回転により、各脚柱２０１がテーブル等の平面上を前後左右全ての方向へ容易に移動させることができるようにしている。
【００５４】
そして、傾斜板１７１の左切欠き部１７５は、右切欠き部１７３よりも手前側方向に大きく切り欠かれるものであり、この傾斜板１７１の後方突出部１７７の後部の端部である奥端部から傾斜板１７１の手前側端部までの長さは、図７に示すように、台受板１４１の後方突出部１４５の後部の端部である奥端部から台受板１４１の手前側端部までの長さよりも僅かに長くされている。
【００５５】
また、右後足１８５や後中央足１８３とした後足は、脚柱２０１の上部を囲む脚カバー２０３を有し、脚カバー２０３の左右壁部に両端部が固定された揺動軸２０５により脚柱２０１の上部が脚カバー２０３に対して前後方向に回動可能として取り付けられている。
【００５６】
この脚カバー２０３は、水平断面がコ字形状とされ、右後足１８５の脚カバー２０３は、スタンドシステム１００の後方側を開放するように前方側と左右側方の３方を囲むコ字形状とされ、後中央足１８３の脚カバー２０３は、前方を開放するように後方側と左右側方の３方を囲むコ字形状とされる。
【００５７】
そして、脚カバー２０３の左右幅は右後足１８５や後中央足１８３の脚柱２０１の直径と略等しくし、揺動軸２０５と合わせて脚柱２０１の左右方向への揺れを防止するものであり、右後足１８５の脚カバー２０３における前方側の壁部は、脚柱２０１が傾斜板１７１に対して前方へ６０度乃至５０度以下の傾斜とならないように規制し、後中央足１８３の脚カバー２０３における後方側の壁部は、脚柱２０１が傾斜板１７１に対して６０度乃至５０度以上の角度で起立しないように規制する。
【００５８】
尚、脚柱２０１の傾斜板１７１に対する角度の規制は、図３に示したように水平面に当該スタンドシステム１００を載置したとき、各脚柱２０１を略垂直とするようにして傾斜板１７１の水平に対する角度に合わせている。
【００５９】
また、右後足１８５の脚柱２０１が傾斜板１７１と交わる角度及び後中央足１８３の脚柱２０１が傾斜板１７１と交わる角度の規制は、脚カバー２０３の前壁や後壁で行うと共に、この角度保持は、脚カバー２０３に固定した揺動軸２０５の近傍において脚カバー２０３に挿入可能とされて脚カバー２０３の左右壁及び脚柱２０１を貫通する係止ピン２０７によって維持させる。
【００６０】
従って、この係止ピン２０７を脚カバー２０３から抜き取れば、右後足１８５や後中央足１８３を傾斜板１７１と平行とするように折り倒すことも可能としている（図１３参照）。
【００６１】
また、傾斜板１７１の後方突出部１７７の手前の基部側近くには透孔１７９を有し、図７や図１３に示すように、台受板１４１と傾斜板１７１とを重ねたとき、台受板１４１の裏面に突出する回転軸１１５の下端部を透孔１７９に収納可能としている。
【００６２】
このように、このスタンドシステム１００は、台板１０１の下面に密接した台受板１４１の後部の端部である奥端部と傾斜板１７１の後部の端部である奥端部とをヒンジ１７２により結合し、傾斜板１７１の両側の下部側に一端が回動可能に取り付けられたリンクバー１６１の他端を台受板１４１の左右に設けたスライダー受け部１５１に取り付けているため、スライダー受け部１５１の角度調整つまみ１５３を緩めて角度調整つまみ１５３を角度調整溝１５７の手前側端部に移動させると、図６に示すようにリンクバー１６１を略垂直として台板１０１を略水平とすることができる。
【００６３】
また、角度調整つまみ１５３を角度調整溝１５７の奥側端部に移動させると、図７に示すように、台受板１４１を傾斜板１７１と密接させるようにして台受板１４１を傾斜させることができる。
【００６４】
そして、このスライダー受け部１５１は、図８に示すように、台受板１４１に沿って台受板１４１の前後に延びる長方形をしたスライダー受け部１５１の内側面にスライダー溝１５８が形成され、このスライダー溝１５８に収納されるスライダー１５５が設けられ、このスライダー１５５に頭部が固定される調整ネジピン１５６が角度調整溝１５７を貫通してスライダー受け部１５１の外方に突出し、スライダー受け部１５１の外側に取り付けられる円柱状の角度調整つまみ１５３に調整ネジピン１５６の先端が螺入される。
【００６５】
このように、スライダー１５５に頭部が回転不能として固定された調整ネジピン１５６を角度調整つまみ１５３に螺入して角度調整つまみ１５３をスライダー受け部１５１に取り付けているため、角度調整つまみ１５３を調整ネジピン１５６を中心に回転させてネジを緩めると、スライダー１５５により調整ネジピン１５６や角度調整つまみ１５３、即ちリンクバー１６１の一端をスライダー溝１５８に沿って滑らかに移動させることができる。
【００６６】
そして、角度調整つまみ１５３を調整ネジピン１５６に対して回転させることによりネジを締め上げると、角度調整つまみ１５３即ちリンクバー１６１の一端をスライダー受け部１５１の所定位置で固定することができる。
【００６７】
尚、スライダー受け部１５１にスライダー溝１５８を形成することなく、調整ネジピン１５６の頭部を平板厚肉の多角形とし、多角形の一辺を台受板１４１の裏面と接触させて調整ネジピン１５６の回転を防止しつつ調整ネジピン１５６を角度調整溝１５７に沿って移動可能とする場合、また、調整ネジピン１５６の頭部として一部を直線的に切り欠いた厚肉円板形状とし、円形の一部を直線状に切り欠いた直線部分を台受板１４１の裏面と接触させて調整ネジピン１５６の回転を防止しつつ調整ネジピン１５６を角度調整溝１５７に沿って移動可能とすることもある。
【００６８】
そして、このスタンドシステム１００は、１０インチ程度の画面を有する端末装置を枠部１０５の内側に収納して固定することを可能とした大きさとしているものであるも、５インチ乃至７インチ程度の比較的小型の端末装置を載置固定して使用することも可能としている。
【００６９】
即ち、携帯性を重視した比較的小型の端末装置を使用するときは、図９に示すように、端末装置８０のカメラレンズの位置をカメラ穴１１０に合わせると共に、横ストッパー１３１の横係止つまみ１３２や縦ストッパー１３５の縦係止つまみ１３６を緩め、横係止つまみ１３２を端末装置８０の側面端部と接触させる位置に移動させて横ストッパー１３１を固定し、縦係止つまみ１３６を端末装置８０の下端部と接触させる位置に移動させて縦ストッパー１３５を固定し、枠部１０５の奥側の辺と左側の辺、横ストッパー１３１、縦ストッパー１３５により端末装置８０を台板１０１に固定する。
【００７０】
更に、横長の長方形にして裏面側の上部左隅部にカメラレンズを有する端末装置を縦長として使用する場合、又、縦長の長方形にして裏面側の上部右隅部にカメラレンズを有する端末装置を使用する場合は、図１０に示すように、回転軸１１５を中心に台板１０１を台受板１４１に対して時計方向に９０度回転させて使用することも可能としている（図からも明らかなように図１０のレンズ穴１１０の位置は図２のレンズ穴１１０の位置よりも後方側となる）。つまり、台受板１４１は、台板１０１を台受板１４１の表面側に沿って面内回転可能に支持している。
【００７１】
この台板１０１の裏面は、図１１に示すように、長方形の台板１０１の中央に軸穴１１７を有して回転軸１１５をこの軸穴１１７に貫通させ、回転軸１１５を中心として台受板１４１に対して回転可能（面内回転可能）とする。
【００７２】
また、軸穴１１７の手前側と軸穴１１７の右側方（図１１における左側方）には、軸穴１１７から等距離として軸穴１１７を中心に９０度異なる方向に係止手段１１９としての磁石が台板１０１の裏面から突出しないように台板１０１の裏面に埋設される。
【００７３】
更に、台板１０１の裏面においては、横調整溝１２５に沿って横調整溝１２５の周囲にスライダー受け溝１２６を設け、このスライダー受け溝１２６にスライダー１３４の下面が台板１０１の裏面から突出しないようにスライダー１３４を収納し、このスライダー１３４に端部がスライダー１３４の下面から突出しないようにピンネジ１３３を固定して横調整溝１２５を貫通するピンネジ１３３を設け、台板１０１の上面に突出するピンネジ１３３に横係止つまみ１３２を螺合固定している。
【００７４】
同様に縦ストッパー１３５に関しても、下調整溝１２７の周囲にスライダー受け溝１２８を設けてこのスライダー受け溝１２８にスライダー１３８の下面が台板１０１の裏面から突出しないようにスライダー１３８を収納し、このスライダー１３８に端部がスライダー１３８の下面から突出しないようにピンネジ１３７を固定して縦調整溝１２７を貫通するピンネジ１３７を設け、台板１０１の上面に突出するピンネジ１３７に縦係止つまみ１３６を螺合固定している。
【００７５】
尚、台板１０１の裏面に埋設される係止手段１１９としての２個の磁石は、同一極が台板１０１の裏面に現れるように埋設する。
【００７６】
そして、台受板１４１は、図１２に示すように、後方突出部１４５の手前側基部近くに軸穴１４８を有し、軸穴１４８の手前側と軸穴１４８の左右両側との３か所に軸穴１４８から等距離とされ、各々９０度づつ方向が異なる位置に係止受手段１４９とする磁石を設ける。
【００７７】
この台受板１４１の軸穴１４８は、台受板１４１の手前側端部と台板１０１の手前側端部とを一致させたとき（図１等参照）、台板１０１の軸穴１１７と一致する位置とされる。
【００７８】
また、台受板１４１に設けられる係止受手段１４９は、台板１０１の軸穴１１７から係止手段１１９までの距離と等しい距離だけ台受板１４１の軸穴１４８から離れた距離の位置において台受板１４１の表面から突出しないように台受板１４１に埋設される。
【００７９】
更に、係止受手段１４９とされる３個の磁石は、係止手段１１９とした磁石と吸引力を生じさせる磁極を台受板１４１の上面側として台受板１４１に埋設される。
【００８０】
従って、台板１０１の手前側端部を台受板１４１の手前側端部と一致させたとき、図１等に示したように、係止突起１４７が台板１０１の手前側端部に接して台板１０１の左側が台受板１４１よりも手前側に回動することを阻止すると共に、係止手段１１９と係止受手段１４９とにより、台板１０１が当該位置に固定される。
【００８１】
また、レバー１２１等により台板１０１を時計方向に回転させると、図１０に示したように、台板１０１の長辺である手前側端部を係止突起１４７の右端部に当接して９０度以上の回転が阻止され、係止手段１１９と係止受手段１４９との吸引力により当該回転位置に台板１０１が固定される。
【００８２】
このように、このスタンドシステム１００は、端末装置のカメラレンズの位置を台板１０１のカメラ穴１１０の位置に合わせて端末装置を台板１０１に載置固定することができ、端末装置のカメラ機能によりカメラ穴１１０の下方に置いた紙片に描かれた文字や絵柄等を当該スタンドシステム１００の台板１０１上に載置固定した端末装置の表示画面に拡大表示させることができる。
【００８３】
そして、上部の左隅部にカメラレンズを有する端末装置を使用するとき、図１等に示したように台板１０１を横長とすると、カメラレンズの下方に位置する傾斜板１７１の奥左側に左切欠き部１７５を有しているため（図１２、図４参照）、傾斜板１７１がカメラの視野を遮ることなく傾斜板１７１の後方突出部１７７の後部の端部側で台板１０１の後端部の近傍を支持して端末装置を安定させた状態で支持することができる。
【００８４】
更に、スタンドシステム１００の下方に挿入した紙片を左手で操作する場合及びスタンドシステム１００の下方に挿入した紙片に文字や図形、記号等を左手で書き込む場合も、左切欠き部１７５を設けていることにより、傾斜板１７１が左手の甲などに接触することがなく、カメラの視野内での作業を容易に行うことができる。
【００８５】
また、端末装置のカメラレンズが端末装置の上部の右隅部に位置する場合（例えば図１０に示す場合）、傾斜板１７１の右奥に右切欠き部１７３を設けているため、カメラの視野を傾斜板１７１が遮ることなく、且つ、スタンドシステム１００の下に挿入した紙片の操作や紙片への書き込みを右手でも行うことが容易にできる。
【００８６】
更に、左右の前足１８１や後足である後中央足１８３及び後右足の脚柱２０１下端部には、ボールキャスター２１１を設けているため、４本の各足が各々全方向に容易に移動可能とされ、スタンドシステム１００全体を前後左右全方向に平行移動させるだけでなく、旋回移動も容易とし、平坦面に新聞等の大きな紙片を載置したとき、スタンドシステム１００を紙片上で移動させたり端末装置の向きを変えるようにスタンドシステム１００の向きを変えつつ移動させることも容易に可能であって、拡大表示する場所や向きの設定を容易とすることができる。また、ボールキャスター２１１を用いているため紙片等を巻き込むことも少ない。
【００８７】
尚、図４や図５等に示した実施の形態では、傾斜板１７１の手前側の左右両隅部に前足１８１を、傾斜板１７１の後方突出部１７７の後端部（奥側端縁）の近傍であって左右の中央よりも僅かに左側に後中央足１８３を、傾斜板１７１の切り欠かれた右側の後端部の近傍、かつ、右側端部の近傍（傾斜板１７１の切り欠かれた右側の後部の隅部）に右後足１８５を設けるように４本の足を設けて上部の左隅部にカメラレンズを備える横長の端末装置を安定させて保持しつつカメラの視野を狭くしないようにしているも、左右の前足１８１と奥側の中央に後足として１本の後足を設けて３本の足により傾斜板１７１即ちスタンドシステム１００ひいては端末装置を支持するようにすることもある。
【００８８】
尤も、傾斜板１７１の後方突出部１７７の後端部（奥側端縁）の中央やや左側に後中央足１８３を、傾斜板１７１の切り欠かれた右側の後端部の近傍、かつ、右側端部の近傍（傾斜板１７１の切り欠かれた右側の後部の隅部）に右後足１８５を設けるように４本の足を設けることにより、表示画面のタッチ操作として上部右隅近くや上部左隅近くの画面を操作するとき、タッチ操作が強くされる場合にも端末装置を安定させて保持することができ、且つ、カメラレンズを左側奥や右側奥に位置させても、カメラの視野を後中央足１８３や右後足１８５により遮ることなく良好な視野を確保することができる。
【００８９】
また、前述の実施の形態では、台板１０１を台受板１４１に対して９０度回転させた位置で停止させるため、係止手段１１９としての磁石を２個、係止受手段１４９としての磁石を３個として５個の磁石を使用しているも、係止手段１１９としての磁石を１個又は２個、係止受手段１４９としての磁石を２個又は１個とし、３個の磁石の組み合わせとすることもできる。
【００９０】
即ち、例えば係止受手段１４９として２個の磁石を軸穴１４８に対して９０度の角度で軸穴１４８から等距離に配置し、１個の磁石を係止手段１１９とすることにより、係止受手段１４９としての２個の磁石の内の一方の磁石を１個の係止手段１１９とした磁石で吸引し、台板１０１を所定の２か所の角度位置で固定することができるようにすることもあるものであり、係止受手段１４９としての磁石を１個として係止手段１１９としての磁石を２個とすることもできる。
【００９１】
更に、係止手段１１９及び係止受手段１４９は、磁石による吸引力を利用して台板１０１を所定回転位置で係止する場合のみでなく、係止手段１１９として台板１０１の裏面所要位置に窪みを形成し、係止受手段１４９として台受板１４１の表面から弾性的に突出する突起体を設け、この突起体を弾性力により窪みに陥入させて台板１０１の回転移動を阻止することもできる。
【００９２】
そして、このスタンドシステム１００は、右後足１８５及び後中央足１８３とした後足の脚柱２０１を脚カバー２０３に対して揺動軸２０５により取り付けているため、係止ピン２０７を脚カバー２０３から外すことにより、図１３に示したように右後足１８５及び後中央足１８３の脚柱２０１を傾斜板１７１と平行とするように折り倒してスタンドシステム１００の携帯移送を容易とすることができる。
【００９３】
尚、係止ピン２０７を脚カバー２０３から外したとき、外した係止ピン２０７を紛失しないように、紐などの保持手段２０８を用いて係止ピン２０７を脚カバー２０３や傾斜板１７１に取り付けることができる。
【００９４】
そして、図３等に示したように、右後足１８５及び後中央足１８３を立てることにより、傾斜板１７１を傾斜させて端末装置のカメラレンズをスタンドシステム１００を載置したテーブル等の平面から所定距離だけ離し、端末装置のカメラ機能を良好に利用可能とし、更に、角度調整つまみ１５３を調整して台受板１４１を水平又は傾斜板１７１の傾斜角までの範囲で傾斜調整をすることにより、端末装置を見易い角度に調整してスタンドシステム１００の下に載置した紙片の文字、図柄等を端末装置の表示画面に表示可能とすることができる。
【００９５】
また、図１等に示した実施形態では、台板１０１の周囲に設ける枠部１０５は右横及び手前側の一部に切欠き１０６，１０７を備えて台板１０１の周囲を囲むように連続した厚肉板状の枠部１０５としているも、枠部１０５は、台板１０１に載置する端末装置の四方を適宜固定すれば足りるものであり、連続した板状に限ることなく、不連続に複数の突起を台板１０１の上面から突出させることもできる。
【００９６】
そして、台受板１４１の奥側左右に右切欠き部１４３及び左切欠き部１４４を設けて後方突出部１４５を形成することにより台受板１４１の形状を傾斜板１７１の形状に合わせているも、台受板１４１は、右切欠き部１４３や左切欠き部１４４を設けることなく台板１０１と同様に単純な長方形とし、台板１０１のカメラ穴１１０や指穴１１２に合わせた透孔を形成しておくこととしてもよい。
【００９７】
更に、図面に示した角度調整手段は、台受板１４１の左右両側端部にスライダー受け部１５１やこのスライダー受け部１５１の軸方向に沿った角度調整溝１５７を貫通する調整ネジピン１５６、この調整ネジピン１５６と螺合する角度調整つまみ１５３、及び、リンクバー１６１などにより形成しているも、台受板１４１の左右両側端部にスライダー受け部１５１や角度調整つまみ１５３及びリンクバー１６１を設ける場合に限定されない。
【００９８】
即ち、傾斜板１７１の前端近くの傾斜板１７１の上面に棒状の支持バーを設けることとし、この支持バーは傾斜板１７１に対して前後に揺動可能にその下端を傾斜板１７１に取り付け、台受板１４１の下面には、前後方向に複数の凹部を並べるように配置し、支持バーの上端をこの凹部に挿入して支持バーの上端位置を固定できるようにすることとしてもよい。
【００９９】
従って、この前後に揺動可能に傾斜板１７１に取り付ける支持バーと台受板１４１の下面に設ける複数の凹部とによる角度調整手段は、支持バーを台受板１４１の下面に設けた複数の凹部の内の最も手前の凹部に先端を挿入して支持バーを略垂直とし且つ台受板１４１を略水平とし、ひいては台板１０１や端末装置を水平に、また、先端を複数の凹部の内の奥側に位置する凹部に挿入して支持バーを傾けることにより台受板１４１の手前側を下げるように傾斜させることができ、支持バーの先端を台受板１４１の下面に設けた複数の凹部の内の何れの凹部に挿入するかによって台板１０１の傾斜を選択ですることを可能とする。
この他、本発明は上述した実施形態に限定されず特許請求の範囲を逸脱しない範囲内において種々の応用実施、変形実施が可能であることは勿論である。
【産業上の利用可能性】
【０１００】
本発明に係るスタンドシステム１００は、カメラ機能を有する端末装置を載置可能な台板１０１及びこの台板１０１を支持する台受板１４１や傾斜板１７１、台受板１４１の角度を調整可能とする角度調整手段を有し、台板１０１は周縁部に枠部１０５を有すると共に左側後部の隅部にカメラ穴１１０を有し、傾斜板１７１は右切欠き部と左切欠き部とを有して中央を後方に突出させており、後足は長さを前足の長さよりも長く設定されることにより、傾斜板１７１を後部が高くなるように傾斜させるスタンドシステム１００であるから、カメラレンズを上部右隅部や上部左隅部に有するカメラ機能を有する端末装置を台板１０１に載置固定してカメラの視野の画像を表示部に拡大表示し、小さな文字や図形、絵柄を見易くすると共に、視力弱者が右手又は左手により書き込み作業を行う際も、視野内での書き込み作業の確認も容易に行うことができる。本発明のスタンドシステム１００の提供は、各種の業界の発展に大いに貢献する。
【符号の説明】
【０１０１】
８０  端末装置
１００  スタンドシステム
１０１  台板                        １０５  枠部
１０６  横切欠き                    １０７  縦切欠き
１１０  カメラ穴                    １１２  指穴
１１５  回転軸                      １１７  軸穴
１１９  係止手段                    １２１  レバー
１２５  横調整溝                    １２６  スライダー受け溝
１２７  縦調整溝                    １２８  スライダー受け溝
１３１  横ストッパー                １３２  横係止つまみ
１３３  ピンネジ                    １３４  スライダー
１３５  縦ストッパー                １３６  縦係止つまみ
１３７  ピンネジ                    １３８  スライダー
１４１  台受板                      １４３  右切欠き部
１４４  左切欠き部                  １４５  後方突出部
１４７  係止突起                    １４８  軸穴
１４９  係止受手段
１５１  スライダー受け部            １５３  角度調整つまみ
１５５  スライダー                  １５６  調整ネジピン
１５７  角度調整溝                  １５８  スライダー溝
１６１  リンクバー                  １６３  バー固定部
１６５  回動軸
１７１  傾斜板                      １７２  ヒンジ
１７３  右切欠き部                  １７５  左切欠き部
１７７  後方突出部                  １７９  透孔
１８１  前足                        １８３  後中央足
１８５  右後足
２０１  脚柱                        ２０３  脚カバー
２０５  揺動軸                      ２０７  係止ピン
２０８  保持手段
２１１  ボールキャスター
２１２  ボール                      ２１３  ボールホルダー
【図１】
2019024199.tif 000003
【図２】
2019024199.tif 000004
【図３】
2019024199.tif 000005
【図４】
2019024199.tif 000006
【図５】
2019024199.tif 000007
【図６】
2019024199.tif 000008
【図７】
2019024199.tif 000009
【図８】
2019024199.tif 000010
【図９】
2019024199.tif 000011
【図１０】
2019024199.tif 000012
【図１１】
2019024199.tif 000013
【図１２】
2019024199.tif 000014
【図１３】
2019024199.tif 000015